(57)【特許請求の範囲】
【請求項１】
フィルムの両側をそれぞれ把持する左右各複数対のクリップと、上記各クリップの走行を案内する左右一対のガイドレールとを備え、
上記クリップの本体に上記ガイドレール上に沿って転動するローラが装着され、かつ上記両ガイドレール間の間隔を上記フィルムの走行方向に沿って徐々に拡大する拡開部が上記ガイドレールに形成され、上記クリップによって上記フィルムの両側をそれぞれ把持させた状態で、上記ガイドレールの上記拡開部上を走行する上記各クリップの走行にともない上記フィルムを横方向へ延伸するフィルムの横延伸機において、
上記ガイドレールの上記拡開部の部分を受ける第１の受け台と、上記拡開部よりも上記フィルムの走行方向の上流側の部分を受ける第２の受け台との間を回動軸を中心に回動可能に軸支する軸支部を設け、
上記第１の受け台上に固定される上記拡開部の主要部を構成する略直線状の第１の剛体部分と、上記第２の受け台上に固定される上記上流側部分の主要部を構成する略直線状の第２の剛体部分との間に屈曲角度調整用の間隙部を設けるとともに、
上記第１の剛体部分と第２の剛体部分との間に湾曲変形可能なレール連結体を配設し、このレール連結体の一端側を固定状態、他端側を上記ガイドレールの延設方向にスライド可能に連結し、
かつ、上記レール連結体の中心線に対して上記両受け台の各剛体部分間を滑らかに連結する略扇形の円弧の中心方向にずらした偏芯位置に上記軸支部を配置して上記第１の受け台と上記第２の受け台との屈曲時にスライドする上記レール連結体のスライド量を小さくするレールスライド量低減手段を設けたことを特徴とするフィルムの横延伸機。
【請求項２】
上記レール連結体は複数枚の金属板を重ね合わせた金属板重合部によって形成されたものであることを特徴とする請求項１に記載のフィルムの横延伸機。
【請求項３】
フィルムの両側をそれぞれ把持する左右各複数対のクリップの走行を案内する左右一対のガイドレールを備え、
上記両ガイドレール間の間隔を上記フィルムの走行方向に沿って徐々に拡大する拡開部が上記ガイドレールに形成され、上記クリップによって上記フィルムの両側をそれぞれ把持させた状態で、上記ガイドレールの上記拡開部上を走行する上記各クリップの走行にともない上記フィルムを横方向へ延伸するフィルムの横延伸機用のテンタークリップ走行案内装置において、
上記ガイドレールの上記拡開部の部分を受ける第１の受け台と、上記拡開部よりも上記フィルムの走行方向の上流側の部分を受ける第２の受け台との間を回動軸を中心に回動可能に軸支する軸支部を設け、
上記第１の受け台上に固定される上記拡開部の主要部を構成する略直線状の第１の剛体部分と、上記第２の受け台上に固定される上記上流側部分の主要部を構成する略直線状の第２の剛体部分との間に屈曲角度調整用の間隙部を設けるとともに、
上記第１の剛体部分と第２の剛体部分との間に湾曲変形可能なレール連結体を配設し、このレール連結体の一端側を固定状態、他端側を上記ガイドレールの延設方向にスライド可能に連結し、
かつ、上記レール連結体の中心線に対して上記両受け台の各剛体部分間を滑らかに連結する略扇形の円弧の中心方向にずらした偏芯位置に上記軸支部を配置して上記第１の受け台と上記第２の受け台との屈曲時にスライドする上記レール連結体のスライド量を小さくするレールスライド量低減手段を設けたことを特徴とするフィルムの横延伸機用のテンタークリップ走行案内装置。
【発明の詳細な説明】
【０００１】
【発明の属する技術分野】
本発明は例えばプラスチックフィルム等のフィルムを横（流れ方向に対して直角）方向へ延伸するテンター装置であるフィルムの横延伸機とそのテンタークリップ走行案内装置に関する。
【０００２】
【従来の技術】
一般に、フィルムの横延伸機として例えば実開昭５９−１０７２１９号公報に示されているテンタークリップ方式のものが知られている。この横延伸機にはフィルムの両側をそれぞれ把持する左右各複数対のテンタークリップと、各テンタークリップの走行を案内する左右一対のガイドレールと、各テンタークリップをガイドレールに沿って走行駆動するためのチェーン伝動式のクリップ駆動装置とが設けられている。
【０００３】
ここで、左右の各ガイドレールにはフィルム走行路の入口側ガイド部と、出口側ガイド部との間に配置され、両ガイドレール間の間隔をフィルムの走行方向に沿って徐々に拡大する横延伸ガイド部と、出口側ガイド部から入口側ガイド部までテンタークリップを戻すための戻しガイド部とが設けられている。
【０００４】
また、クリップ駆動装置には左右の各ガイドレールにそれぞれ対応させた左右の各駆動ユニットが設けられている。さらに、各駆動ユニットにはフィルム走行路の入口側に配置された入口側スプロケットと、出口側に配置された出口側スプロケットと、入口側および出口側の両スプロケット間に架け渡されたエンドレスチェーンであるローラチェーンとが設けられている。
【０００５】
また、各テンタークリップのクリップ本体にはガイドレール上に沿って転動するベアリングと、ローラおよびリンクプレート等のローラチェーンの構成要素とが装着されている。
【０００６】
そして、フィルムの横延伸機の駆動時にはクリップ駆動装置の左右の各駆動ユニットによって各テンタークリップが駆動され、左右の各ガイドレールに沿って循環走行される。このとき、フィルム走行路の入口側で各テンタークリップによってフィルムの両側をそれぞれ把持させてクランプした状態で、ガイドレールの横延伸ガイド部上を走行する各テンタークリップの走行にともないフィルムを横方向へ延伸するようになっている。
【０００７】
また、長いガイドレールは、一般に複数のレール構成体がフィルムの走行方向に沿って直列に連結されて形成されている。ここで、左右の各ガイドレールの横延伸ガイド部では入口側ガイド部の直線形状部分の延設方向に対して所定の設定角度で屈曲された状態で配設されている。
【０００８】
また、左右の各ガイドレールの入口側ガイド部の直線形状部分と、横延伸ガイド部との間の屈曲部は次のように構成されている。すなわち、ガイドレールの横延伸ガイド部の部分は第１の受け台上に固定され、入口側ガイド部の直線形状部分は第２の受け台上に固定されている。さらに、これらの第１の受け台と、第２の受け台との間は回動軸を中心に回動可能に連結されている。
【０００９】
また、第１の受け台上の横延伸ガイド部の主要部および第２の受け台上の入口側ガイド部の直線形状部分の主要部はそれぞれ剛性が高い例えば鋳物レールによって形成されている。
【００１０】
さらに、第１の受け台上の横延伸ガイド部における主要部の端縁部と、第２の受け台上の入口側ガイド部の直線形状部分における主要部の端縁部との間は所定の間隔離間されている。そして、両者の端縁部間は比較的撓みやすく、湾曲変形可能な例えば鋼板レールによって連結されている。この場合、鋼板レールの前端部、或いは後端部のいずれか一端部は鋳物レールに固定され、他端部は鋳物レールに対してスライド可能に連結されている。
【００１１】
そして、第２の受け台に対して第１の受け台を回動軸を中心に回動させることにより、入口側ガイド部の直線形状部分の延設方向に対する横延伸ガイド部の屈曲角度が所定の角度に設定されるようになっている。このとき、横延伸ガイド部の端縁部と、入口側ガイド部の直線形状部分の端縁部との間の鋼板レールは略円弧形状に湾曲変形され、入口側ガイド部および横延伸ガイド部のそれぞれの直線形状部分とは円弧形状の鋼板レールを介して連続的に滑らかに接続されるようになっている。
【００１２】
【発明が解決しようとする課題】
上記従来構成のものにあっては第１の受け台と、第２の受け台との間の回動軸は必ず鋼板レールの中心線上で、入口側ガイド部の鋳物レールの直線レール芯の延長線と、横延伸ガイド部の鋳物レールの直線レール芯の延長線との交点上に配置されている。
【００１３】
しかしながら、第１の受け台と、第２の受け台との間の回動軸が上記交点上に配置されている場合には入口側ガイド部の直線形状部分の延設方向に対する横延伸ガイド部の屈曲角度を大きくしていくと、鋼板レールの端部のスライド量が増大するので、鋼板レールのスライド量を大きくとる必要がある。この場合には鋼板レールの剛性が落ちる問題があるうえ、屈曲部の鋼板レールが円弧形状からはずれていき、鋼板レールのスライド動作がスムーズに行われなくなる問題がある。その結果、テンタークリップの走行が不安定になり、フィルムの横延伸作業の高速化を図るうえで問題がある。
【００１４】
本発明は上記事情に着目してなされたもので、その目的は、テンタークリップの走行安定性の向上およびフィルムの横延伸作業の高速化を図ることができるフィルムの横延伸機を提供することにある。
【００１５】
【課題を解決するための手段】
請求項１の発明はフィルムの両側をそれぞれ把持する左右各複数対のクリップと、上記各クリップの走行を案内する左右一対のガイドレールとを備え、上記クリップの本体に上記ガイドレール上に沿って転動するローラが装着され、かつ上記両ガイドレール間の間隔を上記フィルムの走行方向に沿って徐々に拡大する拡開部が上記ガイドレールに形成され、上記クリップによって上記フィルムの両側をそれぞれ把持させた状態で、上記ガイドレールの上記拡開部上を走行する上記各クリップの走行にともない上記フィルムを横方向へ延伸するフィルムの横延伸機において、上記ガイドレールの上記拡開部の部分を受ける第１の受け台と、上記拡開部よりも上記フィルムの走行方向の上流側の部分を受ける第２の受け台との間を回動軸を中心に回動可能に軸支する軸支部を設け、上記第１の受け台上に固定される上記拡開部の主要部を構成する略直線状の第１の剛体部分と、上記第２の受け台上に固定される上記上流側部分の主要部を構成する略直線状の第２の剛体部分との間に屈曲角度調整用の間隙部を設けるとともに、上記第１の剛体部分と第２の剛体部分との間に湾曲変形可能なレール連結体を配設し、このレール連結体の一端側を固定状態、他端側を上記ガイドレールの延設方向にスライド可能に連結し、かつ、上記レール連結体の中心線に対して上記両受け台の各剛体部分間を滑らかに連結する略扇形の円弧の中心方向にずらした偏芯位置に上記軸支部を配置して上記第１の受け台と上記第２の受け台との屈曲時にスライドする上記レール連結体のスライド量を小さくするレールスライド量低減手段を設けたことを特徴とするフィルムの横延伸機である。
そして、本請求項１の発明ではレール連結体の中心線に対して第１，第２の両受け台の各剛体部分間を滑らかに連結する略扇形の円弧の中心方向にずらした偏芯位置に軸支部を配置したレールスライド量低減手段により、第１の受け台と第２の受け台との屈曲時にスライドするレール連結体のスライド量を小さくする。
これにより、ガイドレールの拡開部の部分の屈曲角度が従来と同じ場合でもレール連結体のスライド量を小さし、特に高延伸角度時における直線レール間の屈曲部のレール長さの変化を小さくすることによって、走行安定性の向上、高速化を達成するようにしたものである。
【００１６】
請求項２の発明は上記レール連結体は複数枚の金属板を重ね合わせた金属板重合部によって形成されたものであることを特徴とする請求項１に記載のフィルムの横延伸機である。
そして、本請求項２の発明では金属板重合部からなるレール連結体を設けることにより、第１の受け台と第２の受け台との屈曲時にレール連結体を湾曲変形しやすくしてレール連結体の湾曲形状を滑らかにするようにしたものである。
【００１７】
請求項３の発明はフィルムの両側をそれぞれ把持する左右各複数対のクリップの走行を案内する左右一対のガイドレールを備え、上記両ガイドレール間の間隔を上記フィルムの走行方向に沿って徐々に拡大する拡開部が上記ガイドレールに形成され、上記クリップによって上記フィルムの両側をそれぞれ把持させた状態で、上記ガイドレールの上記拡開部上を走行する上記各クリップの走行にともない上記フィルムを横方向へ延伸するフィルムの横延伸機用のテンタークリップ走行案内装置において、上記ガイドレールの上記拡開部の部分を受ける第１の受け台と、上記拡開部よりも上記フィルムの走行方向の上流側の部分を受ける第２の受け台との間を回動軸を中心に回動可能に軸支する軸支部を設け、上記第１の受け台上に固定される上記拡開部の主要部を構成する略直線状の第１の剛体部分と、上記第２の受け台上に固定される上記上流側部分の主要部を構成する略直線状の第２の剛体部分との間に屈曲角度調整用の間隙部を設けるとともに、上記第１の剛体部分と第２の剛体部分との間に湾曲変形可能なレール連結体を配設し、このレール連結体の一端側を固定状態、他端側を上記ガイドレールの延設方向にスライド可能に連結し、かつ、上記レール連結体の中心線に対して上記両受け台の各剛体部分間を滑らかに連結する略扇形の円弧の中心方向にずらした偏芯位置に上記軸支部を配置して上記第１の受け台と上記第２の受け台との屈曲時にスライドする上記レール連結体のスライド量を小さくするレールスライド量低減手段を設けたことを特徴とするフィルムの横延伸機用のテンタークリップ走行案内装置である。
そして、本請求項３の発明ではレール連結体の中心線に対して第１，第２の両受け台の各剛体部分間を滑らかに連結する略扇形の円弧の中心方向にずらした偏芯位置に軸支部を配置したレールスライド量低減手段により、第１の受け台と第２の受け台との屈曲時にスライドするレール連結体のスライド量を小さくする。
これにより、ガイドレールの拡開部の部分の屈曲角度が従来と同じ場合でもレール連結体のスライド量を小さし、特に高延伸角度時における直線レール間の屈曲部のレール長さの変化を小さくすることによって、走行安定性の向上、高速化を達成するようにしたものである。
【００１８】
【発明の実施の形態】
以下、本発明の第１の実施の形態を図面を参照して説明する。図１はプラスチックフィルムを二軸延伸するフィルム製造装置１全体の概略構成を示すものである。このフィルム製造装置１にはＴダイ２、キャストロール３、縦延伸機４、横延伸機５、引取ユニット６、巻取機７等の各種装置が設けられている。そして、Ｔダイ２から吐出された溶融樹脂はキャストロール３でシート状に成形されて原反シートが成形され、さらにこの原反シートは縦延伸機４で縦延伸された後、横延伸機５で横延伸され、引取ユニット６を経て巻取機７で巻取られる構成になっている。
【００１９】
また、本実施の形態のフィルムの横延伸機５にはフィルムの両側をそれぞれ把持し、横方向に延伸する図２（Ａ），（Ｂ）に示すテンタークリップ８と、このテンタークリップ８の走行を案内する図３に示す左右２列のガイドレール９とが設けられている。
【００２０】
さらに、テンタークリップ８にはフィルムを把持するクリップ本体１０と、駆動チェーン１１とが設けられている。ここで、クリップ本体１０にはクリップ台１２の上側に図２（Ａ）に示すように左右一対のレバー支持体１３が突設されている。
【００２１】
また、一対のレバー支持体１３間には支軸１４が架設されている。この支軸１４にはクリップレバー１５が回動自在に軸支されている。そして、このクリップレバー１５は図２（Ｂ）に示すクリップ位置でフィルムをクリップし、支軸１４を中心に同図中で時計回り方向に回動された状態でフィルムのクリップを解除するようになっている。
【００２２】
また、クリップ台１２の下側には駆動チェーン１１のチェーンボックス１６が配設されている。このチェーンボックス１６の上下の両壁面には連結ピン１７の上下の両端部がそれぞれ固着されている。
【００２３】
さらに、チェーンボックス１６内にはローラ１８と、このローラ１８の上下のリンクプレート１９とが配設されている。２枚のリンクプレート１９間は円筒状のブッシュ２０により連結されている。このブッシュ２０はローラ１８内に挿入されている。さらに、このブッシュ２０内には連結ピン１７が挿入されている。
これにより、チェーンボックス１６とリンクプレート１９との間が連結ピン１７を介して連結され、エンドレスチェーンが形成されている。
【００２４】
また、クリップ本体１０には複数のベアリング２１〜２６が設けられている。
さらに、クリップ台１２には図２（Ｂ）に示すようにクリップレバー１５とは反対側にベアリング支持体２７が延設されている。そして、このベアリング支持体２７には２つのベアリング２３，２４のそれぞれの支軸２８，２９の上端部が固定されている。そして、一方の支軸２８の下端部にベアリング２３が回転自在に軸支され、他方の支軸２９の下端部にベアリング２４が回転自在に軸支されている。
【００２５】
さらに、クリップ台１２には図２（Ｂ）に示すように上下方向に向けて他の２つのベアリング２５，２６の支軸３０が取付けられている。そして、この支軸３０の上端部に上側のベアリング２５、下端部に下側のベアリング２６がそれぞれ回転自在に軸支されている。
【００２６】
また、ベアリング支持体２７上にはベアリング２１の支軸３１が固定されている。そして、この支軸３１の一端部にベアリング２１が回転自在に軸支されている。
【００２７】
また、横延伸機５内のフィルム搬送路Ｒには図３に示すように縦延伸機４で縦延伸されたフィルム３２を受入れるフィルム受入れ部３３と、フィルム３２を横延伸する横延伸部３４と、横延伸されたフィルム３２を引取ユニット６側に送り出すフィルム出口部３５とが設けられている。
【００２８】
さらに、フィルム搬送路Ｒの両側には左右一対のテンタークリップ走行路３６がそれぞれ配設されている。各テンタークリップ走行路３６にはテンタークリップ８の駆動チェーン１１のアイドラスプロケット３７と駆動スプロケット３８とがそれぞれ配設されている。ここで、駆動チェーン１１のアイドラスプロケット３７および駆動スプロケット３８は横延伸機５内のフィルム受入れ部３３およびフィルム出口部３５にそれぞれ配設されている。
【００２９】
また、横延伸機５内の各テンタークリップ８の左右の長いガイドレール９は複数のレール構成体がフィルムの走行方向に沿って直列に連結されて形成されている。すなわち、左右の各ガイドレール９にはフィルム受入れ部３３のアイドラスプロケット３７と横延伸部３４との間を結ぶ入口側直線ガイド部３９と、横延伸部３４に配設された横延伸ガイド部４０と、横延伸部３４とフィルム出口部３５のアイドラスプロケット３７との間を結ぶ出口側直線ガイド部４１と、フィルム出口部３５のアイドラスプロケット３７と駆動スプロケット３８との間に配設され、ガイドレール９全体の長さを伸縮調整する伸縮部４２と、フィルム出口部３５の駆動スプロケット３８とフィルム受入れ部３３の駆動スプロケット３８とアイドラスプロケット３７との間を結ぶ戻しガイド部４３とがそれぞれ設けられている。ここで、横延伸ガイド部４０には左右の両ガイドレール９間の間隔をフィルム３２の走行方向に沿って徐々に拡大する拡開部４４が形成されている。
【００３０】
また、本実施の形態の左右のガイドレール９には図４および図５に示すように各横延伸部３４のガイドレール９の拡開部４４の部分を受ける第１の受け台４５と、横延伸部３４の拡開部４４よりもフィルム３２の走行方向の上流側の部分、すなわち入口側直線ガイド部３９を受ける第２の受け台４６とがそれぞれ設けられている。
【００３１】
これらの第１の受け台４５と第２の受け台４６との間には軸支部４７が設けられている。ここで、第１の受け台４５には第２の受け台４６との連結部側の端部に図４中で、下面側が切欠された薄肉部４５ａが形成されている。さらに、第２の受け台４６には第１の受け台４５との連結部側の端部に図４中で、上面側が切欠された薄肉部４６ａが形成されている。
【００３２】
また、第１の受け台４５の薄肉部４５ａと第２の受け台４６の薄肉部４６ａとの間は重ね合わされている。この重合部には回動軸４８が装着されている。この回動軸４８の下端部は横延伸機５のベースフレーム４９上に固定されている。さらに、第２の受け台４６の薄肉部４６ａ側の端部もベースフレーム４９上に固定されている。そして、第１の受け台４５は第２の受け台４６に対して回動軸４８を中心に回動可能に軸支されている。
【００３３】
また、第１の受け台４５上には拡開部４４の主要部を構成する略直線状の第１の剛体部分５０が固定されている。さらに、第２の受け台４６上には拡開部４４の上流側部分である入口側直線ガイド部３９の主要部を構成する略直線状の第２の剛体部分５１が固定されている。ここで、第１の受け台４５上の第１の剛体部分５０および第２の受け台４６上の第２の剛体部分５１は例えば鋳物レールによってそれぞれ形成されている。
【００３４】
また、第１の剛体部分５０と第２の剛体部分５１との間には屈曲角度調整用の適宜の大きさの間隙部５２が設けられている。さらに、第１の剛体部分５０と第２の剛体部分５１との間には湾曲変形可能なレール連結体５３が配設されている。このレール連結体５３は複数枚、本実施の形態では図７に示すように４枚の例えば鋼板等の金属板５４を重ね合わせた金属板重合部によって形成されている。
【００３５】
また、レール連結体５３の一端側には図４に示すように複数のねじ挿通孔５５が形成されている。そして、レール連結体５３の一端側は図８（Ａ），（Ｂ）に示すように押え板５６と第２の剛体部分５１との間に挟持された状態で、各ねじ挿通孔５５に挿通される固定ねじ５７によって第２の剛体部分５１に固定されている。
【００３６】
さらに、レール連結体５３の他端側には図４に示すように２つの長孔状のガイド孔５８がフィルム３２の走行方向に沿って延設されている。これらのガイド孔５８内には図５、図７および図８（Ａ），（Ｂ）に示すように押え板５９に挿通された複数のねじ部材６０が挿通されている。これらのねじ部材６０の先端部は第１の剛体部分５０に螺着されている。これにより、レール連結体５３の他端側は押え板５９と第１の剛体部分５０との間に挟持されている。そして、レール連結体５３の他端側は各ガイド孔５８に沿ってねじ部材６０がガイドされる状態で、第１の剛体部分５０にフィルム３２の走行方向に沿ってスライド可能に連結されている。
【００３７】
また、本実施の形態の左右のガイドレール９には第１の受け台４５と第２の受け台４６との屈曲時にスライドするレール連結体５３のスライド量を小さくする図５および図６に示すレールスライド量低減手段６１が設けられている。このレールスライド量低減手段６１には図５および図６に示すようにレール連結体５３の中心線Ｔに対して第１、第２の両受け台４５、４６の各剛体部分５０，５１間を滑らかに連結する略扇形の円弧の中心方向にずらした偏芯位置Ｌe に軸支部４７の回動軸４８の中心線Ｏを配置したものである。
【００３８】
次に、上記構成の本実施の形態のフィルムの横延伸機５の作用について説明する。本実施の形態の横延伸機５の運転時にはテンタークリップ８の駆動チェーン１１の駆動スプロケット３８が駆動される。そして、各テンタークリップ走行路３６上の各テンタークリップ８は駆動スプロケット３８の駆動にともない横延伸機５内のガイドレール９に沿って入口側直線ガイド部３９、横延伸ガイド部４０、出口側直線ガイド部４１、伸縮部４２および戻しガイド部４３間で順次循環駆動される。このとき、各テンタークリップ８はフィルム受入れ部３３でクリップレバー１５が図２（Ｂ）に示すクリップ位置に移動されてフィルム３２をクリップし、フィルム３２を把持したままの状態で横延伸部３４に導かれる。
【００３９】
また、横延伸部３４では各テンタークリップ８がガイドレール９の横延伸ガイド部４０の拡開部４４に沿って走行する動作にともないフィルム３２の両側の２つのテンタークリップ８間の間隔が徐々に拡大し、これにともないフィルム３２が横方向に延伸される。
【００４０】
さらに、横延伸部３４の各テンタークリップ８は横延伸されたフィルム３２をクリップしたままの状態で続いて出口側直線ガイド部４１に沿ってフィルム出口部３５まで導かれる。そして、フィルム出口部３５では図示しないクリップ解除装置によって各テンタークリップ８のクリップレバー１５がクリップ解除位置まで回動され、フィルム３２のクリップが解除される。そのため、横延伸されたフィルム３２は次の工程の引取ユニット６側に導かれるとともに、フィルム３２のクリップが解除された各テンタークリップ８は続いて伸縮部４２を経て戻しガイド部４３側に導かれる。
【００４１】
また、本実施の形態のフィルムの横延伸機５では第１の受け台４５を第２の受け台４６に対して回動軸４８を中心に回動させることにより、横延伸部３４の拡開部４４の拡開角度が任意に設定される。ここで、図５および図８（Ａ）中に実線で示されているように第１の受け台４５の回動角度が０°の状態から同図中に仮想線で示すように第１の受け台４５を第２の受け台４６に対して回動軸４８を中心に回動させた場合には第１の受け台４５の回動動作にともない第１の剛体部分５０と第２の剛体部分５１との間のレール連結体５３が略扇形の円弧形状に沿って湾曲する。このとき、レール連結体５３が円弧形状に湾曲する動作にともない各ガイド孔５８に沿ってねじ部材６０がガイドされる状態で、レール連結体５３が第１の剛体部分５０に対してフィルム３２の走行方向に沿ってスライドする。これにより、レール連結体５３が第１、第２の両受け台４５、４６の各剛体部分５０，５１間を滑らかに連結する略扇形の円弧形状に湾曲される。
【００４２】
また、本実施の形態のように軸支部４７の回動軸４８の中心線Ｏをレール連結体５３の中心線Ｔに対して第１、第２の両受け台４５、４６の各剛体部分５０，５１間を滑らかに連結する略扇形の円弧の中心方向の偏芯位置Ｌe にずらして配置した状態で第１の受け台４５を第２の受け台４６に対して回動軸４８を中心に回動させた際のレール連結体５３の弧長変化量は次の通りとなる。ここで、偏芯位置Ｌe が例えば１０ｍｍに設定され、さらに第１の受け台４５の回動角度が０°の状態で、第１の受け台４５上の第１の剛体部分５０と第２の受け台４６上の第２の剛体部分５１との間の間隙部５２の長さが例えば３１１ｍｍの場合には、第１の受け台４５を４０°の回動角度に回動させた場合におけるレール連結体５３の円弧の弧長は３０４ｍｍとなる。そのため、このように第１の受け台４５を４０°の回動角度に回動させた場合には第１の受け台４５の回動角度が０°の状態に対するレール連結体５３の円弧の弧長変化量は６．５ｍｍとなる。
【００４３】
また、ここで従来のように軸支部４７の回動軸４８の中心線Ｏをレール連結体５３の中心線Ｔ上に配置した場合には第１の受け台４５の回動角度が０°の状態で、第１の受け台４５上の第１の剛体部分５０と第２の受け台４６上の第２の剛体部分５１との間の間隙部５２の長さが３１０ｍｍの場合に、第１の受け台４５を４０°の回動角度に回動させた場合におけるレール連結体５３の円弧の弧長は２９７ｍｍとなる。そのため、この場合には第１の受け台４５の回動角度が０°の状態に対するレール連結体５３の円弧の弧長変化量は１３ｍｍとなる。
【００４４】
したがって、上記レール連結体５３の弧長変化量の計算例によると軸支部４７の回動軸４８の中心線Ｏをレール連結体５３の中心線Ｔに対して扇形の円弧の中心方向の偏芯位置Ｌe にずらして配置した場合には第１の受け台４５の回動角度を０°から４０°に曲げた際のレール連結体５３の円弧の弧長変化量が軸支部４７の回動軸４８の中心線Ｏをレール連結体５３の中心線Ｔ上に配置された（回動軸４８の中心線Ｏをずらさない）場合に比べて１３ｍｍから６．５ｍｍに減少していることがわかる。
【００４５】
そこで、上記構成のものにあっては次の効果を奏する。すなわち、本実施の形態では軸支部４７の回動軸４８の中心線Ｏをレール連結体５３の中心線Ｔに対して第１、第２の両受け台４５、４６の各剛体部分５０，５１間を滑らかに連結する略扇形の円弧の中心方向の偏芯位置Ｌe にずらして配置したレールスライド量低減手段６１を設けたので、第１の受け台４５と第２の受け台４６との屈曲時にスライドするレール連結体５３のスライド量を小さくすることができる。これにより、ガイドレール９の拡開部４４の部分の屈曲角度が従来と同じ場合でもレール連結体５３のスライド量を小さし、第１の受け台４５を第２の受け台４６に対して回動軸４８を中心に回動させた際のレール連結体５３の弧長変化量を小さくすることができる。その結果、特に高延伸角度時における直線レール間の屈曲部のレール連結体５３のレール長さの変化（レール連結体５３の弧長変化量）を小さくすることができるので、テンタークリップ８の走行安定性の向上およびフィルム３２の横延伸作業の高速化を図ることができる。
【００４６】
また、レール連結体５３は複数枚の金属板５４を重ね合わせた金属板重合部によって形成したので、第１の受け台４５と第２の受け台４６との屈曲時にレール連結体５３を湾曲変形しやすくしてレール連結体５３の湾曲形状を一層滑らかにすることができる。
【００４７】
なお、本実施の形態では回動軸４８の中心線Ｏの偏芯位置Ｌe が例えば１０ｍｍに設定された場合の例を示したが、回動軸４８の中心線Ｏのずらし量（偏芯位置Ｌe ）は第１の受け台４５を第２の受け台４６に対して回動軸４８を中心に回動させた際の第１の受け台４５の屈曲角度と、回動角度が０°のときのレール連結体５３の弧長に相当するレール連結体５３の屈曲レール長さ（間隙部５２の長さ）との条件に応じて最適ずれ量（回動軸４８の中心線Ｏの最適な偏芯位置Ｌe ）は適宜変化する。
なお、本発明は上記実施の形態に限定されるものではなく、さらに、その他、本発明の要旨を逸脱しない範囲で種々変形実施できることは勿論である。
【００４８】
【発明の効果】
請求項１および請求項３の発明によれば、ガイドレールの拡開部の部分を受ける第１の受け台と、拡開部よりもフィルムの走行方向の上流側の部分を受ける第２の受け台との間を回動軸を中心に回動可能に軸支する軸支部を設け、第１の剛体部分と第２の剛体部分との間の間隙部にレール連結体を配設し、このレール連結体の一端側を固定、他端側をガイドレールの延設方向にスライド可能に連結し、かつ、レール連結体の中心線に対して両受け台の各剛体部分間を滑らかに連結する略扇形の円弧の中心方向にずらした偏芯位置に軸支部を配置して第１の受け台と第２の受け台との屈曲時にスライドするレール連結体のスライド量を小さくするレールスライド量低減手段を設けたので、テンタークリップの走行安定性の向上およびフィルムの横延伸作業の高速化を図ることができる。
【００４９】
請求項２の発明によれば請求項１のレール連結体を複数枚の金属板を重ね合わせた金属板重合部によって形成したので、第１の受け台と第２の受け台との屈曲時にレール連結体を湾曲変形しやすくしてレール連結体の湾曲形状を滑らかにすることができる効果がある。
【図面の簡単な説明】
【図１】本発明の第１の実施の形態のフィルムの横延伸機が組み込まれるフィルム製造装置全体の概略構成図。
【図２】第１の実施の形態の横延伸機で使用されるテンタークリップを示すもので、（Ａ）は正面図、（Ｂ）は縦断面図。
【図３】第１の実施の形態の横延伸機のガイドレールの概略構成図。
【図４】第１の実施の形態の横延伸機のガイドレールの第１，第２の両受け台の軸支部を示す縦断面図。
【図５】第１の実施の形態の横延伸機のガイドレールの第１，第２の両受け台の軸支部を示す横断面図。
【図６】図５のＡ−Ａ線断面図。
【図７】図５のＢ−Ｂ線断面図。
【図８】（Ａ）は第１の実施の形態の横延伸機のガイドレールのレール連結体の取付け状態を示す要部の横断面図、（Ｂ）はレール連結体の取付け部分の側面図。
【符号の説明】
８  テンタークリップ
９  ガイドレール
３２  フィルム
３９  入口側直線ガイド部
４０  横延伸ガイド部
４４  拡開部
４５  第１の受け台
４６  第２の受け台
４７  軸支部
４８  回動軸
５０  第１の剛体部分
５１  第２の剛体部分
５２  間隙部
５３  レール連結体
５４  金属板
６１  レールスライド量低減手段
【図１】
0003696374.tif 000002
【図２】
0003696374.tif 000003
【図３】
0003696374.tif 000004
【図４】
0003696374.tif 000005
【図５】
0003696374.tif 000006
【図６】
0003696374.tif 000007
【図７】
0003696374.tif 000008
【図８】
0003696374.tif 000009